(57)【要約】【課題】  箱に挿入されて箱内に商品収納区画を形成する仕切体の組立性を向上すること。【解決手段】  仕切体１０であって、仕切り板２０を中央折り曲げ線２２で折り曲げ、更に両側のサイド折り曲げ線２４と両端のエンド折り曲げ線２５、２６で折り曲げることにより、角筒部２７と２つのサイド突片２８Ａ、２８Ｂと２つのエンド突片２９Ａ、２９Ｂにより５つの商品収納区画３１Ａ〜３１Ｅを形成するもの。【選択図】  図２
2009018858.tif 000002
【特許請求の範囲】
【請求項１】
箱に挿入されて箱内に商品収納区画を形成する仕切体であって、
矩形の仕切り板の長辺若しくは短辺の何れかに沿って延びる中央線上に、中央カット線と、該中央カット線の両端部から延長線上の仕切り板の外縁まで延びる中央折り曲げ線を設け、
仕切り板の中央カット線を挟む両側のそれぞれに、中央カット線を一端として延びるサイドカット線と、該サイドカット線の他端から仕切り板の中央カット線に平行で当該サイドカット線側に位置する一方の外縁まで延びるサイド折り曲げ線を設け、
仕切り板の中央カット線の両端において中央カット線に対し垂直に設けられ、該中央カット線を挟む両側のうちの少なくとも一方側において仕切り板の外縁まで延びるエンド折り曲げ線を設け、
仕切り板を中央折り曲げ線で折り曲げ、更に両側のサイド折り曲げ線と両端のエンド折り曲げ線で折り曲げることにより、
両側のサイド折り曲げ線を一方の対角に配置し、両端のエンド折り曲げ線を他方の対角に配置する角筒部を形成し、
両側のサイドカット線によってカットされ、角筒部の両側のサイド折り曲げ線が形成する２つの角から外方に突出する２つのサイド突片を形成し、
角筒部の両端のエンド折り曲げ線が形成する２つの角から外方に突出する２つのエンド突片を形成し、
角筒部と２つのサイド突片と２つのエンド突片により５つの商品収納区画を形成する仕切体。
【請求項２】
前記エンド突片が箱のコーナー部に挿入される請求項１に記載の仕切体。
【請求項３】
前記仕切り板が段ボールからなり、段ボールの段目の方向が前記中央線に直交配置される請求項１又は２に記載の仕切体。
【請求項４】
請求項１〜３のいずれかに記載の仕切体を箱に挿入し、箱内に５つの商品収納区画を形成した仕切体付包装箱。
【発明の詳細な説明】
【技術分野】
【０００１】
本発明は仕切体に関する。
【背景技術】
【０００２】
仕切体付包装箱として、特許文献１に記載の如く、両端部に突出片が連設された４枚の仕切板を突出片の根元部分に設けた折曲線を介して帯状に連設してなる仕切体を、その仕切体の両端部に位置する突出片の根元部分同士を係合させて周囲に突出片が突出する角筒状に形成し、角筒状に形成された仕切体を箱に挿入して箱内に９つの商品収納区画を形成してなるものがある。
【特許文献１】特開平9-20330
【発明の開示】
【発明が解決しようとする課題】
【０００３】
特許文献１に記載の仕切体付包装箱には以下の問題点がある。
(1)仕切体を折り曲げた後に、仕切体の両端の突出片の根元部分同士を係合させて角筒状にする必要があり、組立性が悪い。
【０００４】
(2)仕切体を角筒状に組立てた状態で、角筒の上面に沿う突出片が、角筒の４辺のうちの１辺に沿うだけであり、この仕切体付包装箱を段積みしたとき、上段の箱を下段の箱の角筒の上面及び唯１辺の突出片で支持するだけになり、段積み陳列性が悪い。
【０００５】
本発明の課題は、箱に挿入されて箱内に商品収納区画を形成する仕切体の組立性を向上することにある。また、この仕切体を用いた包装箱の段積み陳列性を向上することにある。
【課題を解決するための手段】
【０００６】
請求項１の発明は、箱に挿入されて箱内に商品収納区画を形成する仕切体であって、矩形の仕切り板の長辺若しくは短辺の何れかに沿って延びる中央線上に、中央カット線と、該中央カット線の両端部から延長線上の仕切り板の外縁まで延びる中央折り曲げ線を設け、仕切り板の中央カット線を挟む両側のそれぞれに、中央カット線を一端として延びるサイドカット線と、該サイドカット線の他端から仕切り板の中央カット線に平行で当該サイドカット線側に位置する一方の外縁まで延びるサイド折り曲げ線を設け、仕切り板の中央カット線の両端において中央カット線に対し垂直に設けられ、該中央カット線を挟む両側のうちの少なくとも一方側において仕切り板の外縁まで延びるエンド折り曲げ線を設け、仕切り板を中央折り曲げ線で折り曲げ、更に両側のサイド折り曲げ線と両端のエンド折り曲げ線で折り曲げることにより、両側のサイド折り曲げ線を一方の対角に配置し、両端のエンド折り曲げ線を他方の対角に配置する角筒部を形成し、両側のサイドカット線によってカットされ、角筒部の両側のサイド折り曲げ線が形成する２つの角から外方に突出する２つのサイド突片を形成し、角筒部の両端のエンド折り曲げ線が形成する２つの角から外方に突出する２つのエンド突片を形成し、角筒部と２つのサイド突片と２つのエンド突片により５つの商品収納区画を形成するようにしたものである。
【発明を実施するための最良の形態】
【０００７】
（実施例１）（図１〜図５）
仕切体１０は、図１に示す如く、包装箱３０に挿入されて箱内に商品収納区画３１を形成する。包装箱３０に収納される商品１としては、パウチ、トリガー容器、ボトル等があるが、パウチが好適である。
【０００８】
仕切体１０の基板としての仕切り板２０は、図２（Ａ）に示す展開状態で矩形をなす。そして、仕切り板２０の長辺と短辺の一方、本実施例では長辺に沿って延びる中央線ＣＬ上に、全切りの中央カット線２１と、中央カット線２１の両端部から延長線上の仕切り板２０の長辺と短辺の他方、本実施例では短辺の外縁まで延びる半切りの中央折り曲げ線２２を設ける。
【０００９】
また、仕切り板２０の中央カット線２１を挟む両側のそれぞれに、中央カット線２１に交差する全切りのサイドカット線２３と、サイドカット線２３の端部から仕切り板２０の長辺の外縁まで延びるリード罫のサイド折り曲げ線２４を設ける。本実施例においては、サイドカット線２３がＬ字状をなし、Ｌ字の縦線２３Ａを中央カット線２１に直交させ、Ｌ字の横線２３Ｂを中央カット線２１に平行にし、サイド折り曲げ線２４を横線２３Ｂに直交させる。
【００１０】
また、仕切り板２０の中央カット線２１の両端のそれぞれに交差し、中央カット線２１を挟む両側のうちの少なくとも一方側、本実施例では両方側において仕切り板２０の長辺の外縁まで延びるリード罫のエンド折り曲げ線２５、２６を設ける。本実施例においては、エンド折り曲げ線２５、２６を中央カット線２１に直交させる。
【００１１】
本実施例において、仕切り板２０は段ボールからなり、段ボールの段目の方向が中央線ＣＬに直交配置される。段ボールは、内層、外層とそれらの中間層（中芯）からなり、好適には、内層、外層の坪量は160g／m2以上、中間層の坪量は120g／m2以上とする。そして、全切りは内層、中間層、外層の全てを直線状に切り、半切りは外層だけを直線状に切り、リード罫は内層、中間層、外層の全てを点線状に切る。
【００１２】
そして、仕切体１０を組立てるに際しては、仕切り板２０を中央折り曲げ線２２で山折り状に折り曲げ（図２（Ｂ））、更に両側のサイド折り曲げ線２４で山折り状に折り曲げるとともに、両端のエンド折り曲げ線２５、２６で谷折り状に折り曲げる。これにより、両側のサイド折り曲げ線２４を一方の対角に配置し、両端のエンド折り曲げ線２５、２６を他方の対角に配置する角筒部２７を形成する。また、両側のサイドカット線２３によってカットされ、角筒部２７の両側のサイド折り曲げ線２４が形成する２つの角から外方に突出する２つのサイド突片２８Ａ、２８Ｂを形成する。また、角筒部２７の両端のエンド折り曲げ線２５、２６が形成する２つの角から外方に突出する２つのエンド突片２９Ａ、２９Ｂを形成する。これにより、仕切体１０は、包装箱３０に挿入されたとき、角筒部２７と２つのサイド突片２８Ａ、２８Ｂと２つのエンド突片２９Ａ、２９Ｂにより、５つの商品収納区画３１Ａ〜３１Ｅを形成する。
【００１３】
図３は包装箱３０に仕切体１０を挿入し、箱内に５つの商品収納区画３１Ａ〜３１Ｅを形成した状態を示す。仕切体１０のエンド突片２９Ａ、２９Ｂは包装箱３０の対角線上の２つのコーナー部のそれぞれに挿入され、包装箱３０の内部に位置決めされる。サイド突片２８Ａ，２８Ｂの先端は包装箱３０の対向する側板内壁に近接させ、好ましくは接触している。図４は包装箱３０の上部を切り離し除去し、仕切体１０が形成する各商品収納区画３１Ａ〜３１Ｅに収納したパウチ１を陳列する状態を示す。図５は下段側の包装箱３０の上に仕切体１０を介して上段側の包装箱３０を段積み陳列する状態を示す。
【００１４】
本実施例によれば以下の作用効果を奏する。
(a)仕切り板２０を中央折り曲げ線２２で折り曲げ、更に両側のサイド折り曲げ線２４と両端のエンド折り曲げ線２５、２６で折り曲げるだけで、角筒部２７と２つのサイド突片２８Ａ、２８Ｂと２つのエンド突片２９Ａ、２９Ｂにより５つの商品収納区画３１Ａ〜３１Ｅをもつ仕切体１０を作成できる。
【００１５】
(b)仕切体１０の角筒部２７の上面に沿う突片が、角筒部２７の２つの角から突出する２つのサイド突片２８Ａ、２８Ｂ、及び他の２つの角から突出する２つのエンド突片２９Ａ、２９Ｂになる。従って、角筒部２７の上面の全ての角から外方に突片２８Ａ、２８Ｂ、２９Ａ、２９Ｂが突出するものになり、この仕切体１０を用いた包装箱３０を段積みしたとき、上段の箱３０を下段の箱３０の角筒部２７の上面及び４つの突片２８Ａ、２８Ｂ、２９Ａ、２９Ｂで支持するものになり、段積み陳列性を向上できる。
【００１６】
(c)サイドカット線２３がＬ字状をなすことにより、これによって形成されるサイド突片２８Ａ、２８Ｂが一定の面積を安定的に確保できる矩形状突片になり、このサイド突片２８Ａ、２８Ｂによる商品収納区画の形成が安定になる。サイド突片２８Ａ、２８Ｂの先端辺が包装箱３０の対向する側板内壁に接すると更に上記区画の形成が安定になる。
【００１７】
(d)エンド突片２９Ａ、２９Ｂが箱３０のコーナー部に挿入されることにより、箱３０に対する仕切体１０の挿入位置決め性が向上し、仕切体１０による商品収納区画の形成が安定になる。
【００１８】
(e)仕切り板２０が段ボールからなり、段ボールの段目の方向が中央線ＣＬに直交配置されることにより、仕切体１０の上下方向圧縮強度が向上し、仕切体１０を用いた包装箱３０の段積み強度を向上でき、段積み陳列性を向上できる。
【００１９】
(f)包装箱３０において、上述(a)〜(e)を実現できる。
【００２０】
（実施例２）（図６〜図１０）
実施例２が実施例１と実質的に異なる点は、仕切り板２０において、図７（Ａ）に示す如く、中央カット線２１の一端に直交し、中央カット線２１を挟む両側のうちの一側において仕切り板２０の長辺の外縁まで延びるリード罫のエンド折り曲げ線２５を設け、中央カット線２１の他端に直交し、中央カット線２１を挟む両側のうちの他側において仕切り板２０の長辺の外縁まで延びるリード罫のエンド折り曲げ線２５を設けたことにある。この仕切り板２０から組立てた仕切体１０は、角筒部２７の一端側に設けられるサイド突片２８Ａとエンド突片２９Ａを同一面上に配置し、角筒部２７の他端側に設けられるサイド突片２８Ｂとエンド突片２９Ｂを同一面上に配置するものになる。この仕切体１０にあっても、包装箱３０に挿入されたとき、角筒部２７と２つのサイド突片２８Ａ、２８Ｂと２つのエンド突片２９Ａ、２９Ｂにより、５つの商品収納区画３１Ａ〜３１Ｅを形成する。
【００２１】
（変形例１）（図１１）
仕切体１０（仕切り板２０）において、サイドカット線２３は中央カット線２１に斜交する直線状をなすものでも良い。尚、サイドカット線２３はＬ字状の角部をＲ状とし円孤をなすように形成したり、サイド突片２８Ａ、２８Ｂが台形状をなすように、サイド突片２８Ａ、２８Ｂの各辺がなす角度を鈍角（90度より大きな角度）に形成することが、仕切体１０の組立て性の観点から好ましい。
【００２２】
（変形例２）（図１２）
仕切体１０（仕切り板２０）において、全ての突片２８Ａ、２８Ｂ、２９Ａ、２９Ｂが包装箱３０のコーナー部に挿入されず、包装箱３０の長辺の中間部、短辺の中間部に交差配置されて挿入されても良い。
【００２３】
（変形例３）（図１３）
仕切り板２０において、中央カット線２１におけるサイド突片２８Ａ、２８Ｂを形成する範囲で、中央カット線２１を挟んだ一方側に指かけ用の抜き穴２８Ｃを設けると、仕切体１０を組み立てる際に、抜き穴２８Ｃを手がかりにしてサイド突片２８Ａ、２８Ｂを外方に突出させ易く、組立て性が良い。また、中央カット線２１におけるサイド突片２８Ａ、２８Ｂを形成する範囲で、中央カット線２１を挟んで一方側に指かけ用の突状切れ込み２８Ｄを設けることもできる。突状切れ込み２８Ｄにおける中央線ＣＬ上を半切り線（ハーフカット）とする。これにより、仕切り板２０の組立て時に、該突状切れ込み２８Ｄを入れた部分を内側に押し込むことにより、容易に仕切り板２０を組立てできる。
【図面の簡単な説明】
【００２４】
【図１】図１は実施例１の仕切り板を示す模式図である。
【図２】図２は仕切体の組立状態を示す模式図である。
【図３】図３は仕切体を包装箱に挿入した状態を示す模式図である。
【図４】図４は仕切体付包装箱の陳列状態を示す模式図である。
【図５】図５は仕切体付包装箱の段積み陳列状態を示す模式図である。
【図６】図６は実施例２の仕切り板を示す模式図である。
【図７】図７は仕切体の組立状態を示す模式図である。
【図８】図８は仕切体を包装箱に挿入した状態を示す模式図である。
【図９】図９は仕切体付包装箱の陳列状態を示す模式図である。
【図１０】図１０は仕切体付包装箱の段積み陳列状態を示す模式図である。
【図１１】図１１は仕切り板の変形例を示す模式図である。
【図１２】図１２は仕切体の変形例を示す模式図である。
【図１３】図１３は仕切り板の変形例を示す模式図である。
【符号の説明】
【００２５】
１  商品
１０  仕切体
２０  仕切り板
２１  中央カット線
２２  中央折り曲げ線
２３  サイドカット線
２４  サイド折り曲げ線
２５、２６  エンド折り曲げ線
２７  角筒部
２８Ａ、２８Ｂ  サイド突片
２９Ａ、２９Ｂ  エンド突片
３０  包装箱
３１、３１Ａ〜３１Ｅ  商品収納区画
【図１】
2009018858.tif 000003
【図２】
2009018858.tif 000004
【図３】
2009018858.tif 000005
【図４】
2009018858.tif 000006
【図５】
2009018858.tif 000007
【図６】
2009018858.tif 000008
【図７】
2009018858.tif 000009
【図８】
2009018858.tif 000010
【図９】
2009018858.tif 000011
【図１０】
2009018858.tif 000012
【図１１】
2009018858.tif 000013
【図１２】
2009018858.tif 000014
【図１３】
2009018858.tif 000015